(57)【要約】【課題】撮影のための操作指示が、自動設定可能な項目であるのか、撮影者による操作を必要とする項目であるのかを、操作指示者は区別できなかった。そのため、操作指示者は、撮影のための操作指示が、自動設定可能な項目であるのか、撮影者による操作を必要とする項目なのかを判断しながら、撮影機器の操作指示を入力する必要があった。【解決手段】撮影のための操作指示を送信する撮像設定装置と前記操作指示を受信する撮像装置からなる画像撮影システムであって、前記撮像設定装置または撮像装置は、操作指示が自動設定項目か操作ガイド項目かを判定し、判定結果に基づいて、機能の操作内容を自動設定パネルまたは操作ガイドパネルに表示する手段を有することを特徴とする。【選択図】図１
2017028468.tif 000002
【特許請求の範囲】
【請求項１】
撮影のための操作指示を送信する撮像設定装置と前記操作指示を受信する撮像装置からなる画像撮影システムであって、
前記撮像設定装置は、
撮像装置と通信する手段と、
撮像装置の機能を取得する手段と、
取得した機能を、自動設定パネルまたは操作ガイドパネルに表示する手段と、
操作指示を指定する手段と、
指定された操作指示を送信する手段を有し、
前記撮像装置は、
撮像設定装置と通信する手段と、
操作指示を受信する手段と、
操作指示に基づいて撮影設定を行う手段と、
操作指示に基づいて操作ガイドを提示する手段を具備し、
前記撮像設定装置または撮像装置は、前記操作指示が自動設定項目か操作ガイド項目かを判定する手段を有することを特徴とする画像撮影システム。
【請求項２】
前記撮像設定装置の撮像装置の機能を取得する手段は、撮像装置の機種および付属品および状態によって表示内容を決定することを特徴とする請求項１に記載の画像撮影システム。
【請求項３】
前記操作指示自動設定項目か操作ガイド項目かを判定する手段は、撮像設定装置に有することを特徴とする請求項１に記載の画像撮影システム。
【請求項４】
前記操作指示自動設定項目か操作ガイド項目かを判定する手段は、撮像装置に有することを特徴とする請求項１に記載の画像撮影システム。
【請求項５】
前記撮像設定装置の操作指示を指定する手段は、撮像設定装置が撮像装置に撮影予告を送信し、自動設定操作にて撮影を指示することを特徴とする請求項１に記載の画像撮影システム。
【請求項６】
前記撮像装置の操作指示に基づいて操作ガイドを提示する手段は、撮像装置が撮像設定装置から撮影指示を受信し、撮影を提示することを特徴とする請求項１に記載の画像撮影システム。
【請求項７】
前記撮像設定装置の操作指示を指定する手段は、設定前の状態と設定後の状態が判別可能な状態で表示することを特徴とする請求項１に記載の画像撮影システム。
【請求項８】
前記撮像設定装置の取得した機能を自動設定パネルまたは操作ガイドパネルに表示する手段は、指定された操作指示を送信する手段にて送信した操作指示と撮像装置の機能を取得する手段にて取得した機能の操作が、不一致かを判定することを特徴とする請求項１に記載の画像撮影システム。
【請求項９】
前記撮像装置の操作指示に基づいて操作ガイドを提示する手段は、操作指示を受信する手段にて受信した操作指示と指定された操作が、不一致かを判定することを特徴とする請求項１に記載の画像撮影システム。
【請求項１０】
前記撮像設定装置の取得した機能を自動設定パネルまたは操作ガイドパネルに表示する手段は、指定された操作指示を送信する手段にて送信した操作指示と撮像装置の機能を取得する手段にて取得した機能の操作が不一致の場合に、操作不一致が判別可能状態で操作パネルを表示することを特徴とする請求項１に記載の画像撮影システム。
【請求項１１】
前記撮像装置の操作指示に基づいて操作ガイドを提示する手段は、操作指示を受信する手段にて受信した操作指示と指定された操作が不一致の場合に、操作不一致が判別可能な状態で操作ガイドを提示することを特徴とする請求項１に記載の画像撮影システム。
【発明の詳細な説明】
【技術分野】
【０００１】
本発明は、撮影のための画像撮影システムおよびプログラムおよび記憶媒体および方法に関する。
【背景技術】
【０００２】
遠隔地にいる撮影者に撮影を依頼する場合には、被写体や構図、撮影設定を正確に指示出来る事が望ましい。
【０００３】
撮影の構図や設定を遠隔地から指示する方法として、特許文献1に記載されている方法が提案されている。この方法は、ファインダ画像が写し出す向きや構図に関する操作指示者の意図する遠隔指示を、撮影機器の表示部に表示する方法である。
【先行技術文献】
【特許文献】
【０００４】
【特許文献１】特開２０１２−１０９８５２号公報
【発明の概要】
【発明が解決しようとする課題】
【０００５】
しかしながら、従来の方法では、撮影のための操作指示が、ズーム等の自動設定可能な項目であるのか、構図変更等の撮影者による操作を必要とする項目であるのかを、操作指示者は区別できなかった。そのため、操作指示者は、撮影のための操作指示が、自動設定可能な項目であるのか、撮影者による操作を必要とする項目なのかを判断しながら、撮影機器の操作指示を入力する必要があった。
【課題を解決するための手段】
【０００６】
本発明に係る画像撮影システムは、
撮影のための操作指示を送信する撮像設定装置と前記操作指示を受信する撮像装置からなる画像撮影システムであって、
前記撮像設定装置は、
撮像装置と通信する手段と、
撮像装置の機能を取得する手段と、
取得した機能を、自動設定パネルまたは操作ガイドパネルに表示する手段と、
操作指示を指定する手段と、
指定された操作指示を送信する手段を有し、
前記撮像装置は、
撮像設定装置と通信する手段と、
操作指示を受信する手段と、
操作指示に基づいて撮影設定を行う手段と、
操作指示に基づいて操作ガイドを提示する手段を具備し、
前記撮像設定装置または撮像装置は、前記操作指示が自動設定項目か操作ガイド項目かを判定する手段を有することを特徴とする。
【発明の効果】
【０００７】
本発明に係る画像撮影システムによれば、撮影のための操作指示が、自動設定可能な項目であるのか、撮影者による操作を必要とする項目であるのかが識別可能となり、操作指示者による判断が不要となる。
【図面の簡単な説明】
【０００８】
【図１】本発明の実施例１に係る撮影設定装置の操作パネル表示処理の動作を示すフローチャートである。
【図２】本発明の実施例１に係る撮影設定装置の構成を示すブロック図である。
【図３】本発明の実施例１に係る撮影装置の構成を示すブロック図である。
【図４】本発明の実施例１に係る撮影設定装置の自動設定パネルまたは操作ガイドパネルに表示する手段にて表示される操作パネルを示す図である。
【図５】本発明の実施例１に係る撮影設定装置の指定された操作指示の送信処理の動作を示すフローチャートである。
【図６】本発明の実施例１に係る撮影設定装置の自動設定パネルまたは操作ガイドパネルに表示する手段にて参照される操作指示を示す図である。
【図７】本発明の実施例１に係る撮影装置の操作指示の受信処理の動作を示すフローチャートである。
【図８】本発明の実施例１に係る撮影装置の操作指示に基づいて操作ガイドを提示する手段にて表示される操作ガイドを示す図である。
【図９】本発明の実施例１に係る撮影装置の操作指示に基づいた操作ガイドの提示処理の動作を示すフローチャートである。
【図１０】本発明の実施例１に係る撮影装置の操作指示に基づいて操作ガイドを提示する手段にて表示される操作ガイドを示す図である。
【発明を実施するための形態】
【０００９】
以下、本発明を実施するための最良の形態を図に基づいて、説明する。ただし、この実施形態に記載されている構成要素はあくまで例示であり、この発明の範囲をそれらのみに限定する趣旨のものではない。
【実施例１】
【００１０】
本実施例では、撮影のための操作指示を送信する撮像設定装置と前記操作指示を受信する撮像装置からなる画像撮影システムを説明する。本画像撮影システムでは、撮像設定装置にて、撮像装置の機能が自動設定可能な項目であるのか、撮影者による操作を必要とする項目であるのかを判定し、判定結果に基づいて自動設定パネルと操作ガイド設定パネルを表示する。また、撮像設定装置にて、操作指示者における操作パネルの入力に基づいて、撮影のための操作指示を撮像装置に送信する。さらに、撮像装置にて、受信した操作指示が自動設定可能な項目の場合には撮像装置に操作内容を設定し、撮影者による操作を必要とする項目の場合にはモニタに操作ガイドを表示する。また、撮像装置は、撮像設定装置から受信した操作指示と撮影者による操作が異なった場合に、モニタに警告を表示する。
【００１１】
これにより、撮影のための操作指示が、自動設定可能な項目であるのか、撮影者による操作を必要とする項目であるのかが区別可能となり、操作指示者による判断が不要となる。
【００１２】
本実施例を実現する画像撮影システムは、図２で示す撮像設定装置と図３で示す撮像装置から構成されるシステムである。
【００１３】
図２の撮像設定装置は、撮影のための操作指示を送信する装置である。撮像設定装置の構成を、図２を用いて説明する。
【００１４】
図２において、２０１は撮像設定装置２００の全体を制御する制御部であり、例えばCentral Processing Unit（ＣＰＵ）である。２０２は変更を必要としないプログラムやパラメータを格納するRead Only Memory（ＲＯＭ）である。２０３は外部装置などから供給されるプログラムやデータを一時記憶するRandom Access Memory（ＲＡＭ）である。２０４は操作設定装置２００に固定して設置されたハードディスクやメモリカード、あるいは操作設定装置から着脱可能なフロッピー（登録商標）ディスク（ＦＤ）やCompact Disk（ＣＤ）等の光ディスク、磁気や光カード、ＩＣカードなどを含む外部記憶装置である。２０５はユーザの操作を受け、データを入力するポインティングデバイスやキーボード等の入力デバイスとなる操作部である。２０６は撮像設定装置２００の保持するデータや供給されたデータを表示するためのディスプレイを示す表示部である。２０７はインターネットなどのネットワークに接続するための通信部である。２０８は２０１〜２０７の各ユニットを通信可能に接続するシステムバスである。
【００１５】
本実施例における撮像設定装置は、通信部２０７を使用して撮影のための操作指示を送信する。２０７の通信手段は、近接通信であってもよいし、インターネットを経由して通信するのでもよい。
【００１６】
図３の撮像装置は、撮像設定装置２００から撮影のための操作指示を受信する装置である。撮像装置の構成を、図３を用いて説明する。図３において、撮像装置３００は、通信部３０１、二次記憶装置３０２、制御部３０３、操作部３０４、信号処理装置３０５、表示部３０６、光学ユニット３０７、読み出し専用メモリ３０８、一次記憶装置３０９、外部記憶媒体３１０、GPS装置３１１により構成される。
【００１７】
本実施例における撮像装置は、通信部３０１を使用して撮影のための操作指示を、撮像設定装置２００から受信する。通信部３０１の通信手段は、近接通信であってもよいし、インターネットを経由して通信するのでもよい。また、撮像装置は、撮像設定装置から受信した撮影のための操作指示の操作ガイドを、表示部３０６を使用して撮影者に提示する。
【００１８】
本実施例における撮影のための操作指示を入力するための操作パネルを表示する処理について、図１を用いて説明する。
【００１９】
図１の操作パネル表示処理は、制御部２０１から実行される処理であり、通信部２０７を使用して撮像装置３００から機器情報を受信し、受信した機器情報に基づいて操作パネルを表示する処理である。
【００２０】
ステップS１０１は撮像装置と通信する処理であり、このステップにおいて制御部２０１は、通信部２０７を使用して、撮像装置３００から撮像装置の機器情報を受信する。この時、レンズ、GPSユニット等のオプションが付属している場合には、オプションの機器情報もすべて受信する。
【００２１】
ステップS１０２は撮像装置の機能を取得する処理であり、制御部２０１は、S１０１で取得した撮像装置の機器情報、および、オプションの機器情報に基づいて、操作可能な機能の一覧を取得する。取得される機能は、撮像装置の機器情報によって変更され、付属するオプションによっても変更される。
【００２２】
ステップS１０３からステップS１０８は取得した機能を自動設定パネルまたは操作ガイドパネルに表示する処理であり、制御部２０１は、S１０２で取得した機能の数だけ繰り返す。
【００２３】
ステップS１０４は機能の選択処理であり、制御部２０１は、ステップS１０２で取得した機能の1つを選択する。
【００２４】
ステップS１０５は機能の操作指示が自動設定項目か操作ガイド項目かを判定する処理であり、制御部２０１は、ステップS１０４で選択した機能が自動設定可能な項目か確認する。このステップにて“NO”と判定した場合にはステップS１０６に進み、“YES”と判定した場合にはステップS１０７へ進む。
【００２５】
ステップS１０６はガイド操作パネルに表示する処理であり、制御部２０１は、ステップS１０４で選択した機能の操作内容を、操作ガイドパネルへ表示する。
【００２６】
ステップS１０７は自動設定パネルに表示する処理であり、制御部２０１は、ステップS１０４で選択した機能の操作内容を、自動設定パネルへ表示する。
【００２７】
次に、図４を用いて撮影のための操作指示を指定する手段である操作パネルを説明する。
【００２８】
図４において、撮像設定装置の操作パネル４００は、ファインダ４０１、自動設定パネル４０２、操作ガイドパネル４０３、撮影指示ボタン４０４、操作確定ボタン４０５、キャンセルボタン４０６により構成される。
【００２９】
ファインダ４０１は撮像装置３００の表示部３０６を使用してファインダに写し出されている画像であり、通信部２０７を使用して取得したファインダ画像が表示される。
【００３０】
４０２は、ステップS１０７にて表示される自動設定可能な項目の自動設定パネルである。
【００３１】
４０３は、ステップS１０６にて表示される撮影者による操作を必要とする項目の操作ガイドパネルである。
【００３２】
撮影指示ボタン４０４は、撮影指示を送信するボタンであり、クリックされると画像の撮影指示が通信部２０７を使用して撮像装置３００に送信される。
【００３３】
操作確定ボタン４０５は、撮影設定の確定ボタンであり、操作パネル上で指定された操作指示が通信部２０７を使用して撮像装置３００に送信される。
【００３４】
キャンセルボタン４０６は、撮像設定のキャンセルボタンであり、撮影キャンセルの指示が通信部２０７を使用して撮像装置３００に送信される。
【００３５】
次に、図５を用いて指定された操作指示を送信する手段を説明する。
【００３６】
図５は制御部２０１から実行される処理であり、通信部２０７を使用して撮像装置３００から機能の操作状態を受信し、受信した操作状態に基づいて操作状態を操作パネル４００に反映させる処理である。さらに、操作パネル４００に入力された操作指示内容を取得し、通信部２０７を使用して撮像装置３００に操作指示を送信する処理である。
【００３７】
ステップS５０１は撮像装置３００の操作状態を取得する処理であり、制御部２０１は、通信部２０７を使用してステップS１０２で取得したすべての機能の撮像装置の操作状態を取得する。
【００３８】
ステップS５０２はステップS５０１で取得した操作状態を操作パネル４００に反映する処理であり、制御部２０１は、ステップS５０１で取得したすべての機能の操作状態を表示する。
【００３９】
ステップS５０３はキャンセルボタン４０６が押されたか判定する処理であり、制御部２０１は、キャンセルボタン４０６が押されたか確認する。このステップで“YES”と判定した場合は本処理を終了し、“NO”と判定した場合はステップS５０４へ進む。
【００４０】
ステップS５０４は操作確定ボタン４０５が押されたか判定する処理であり、制御部２０１は、操作確定ボタン４０５が押されているか確認する。このステップで、“YES”と判定した場合はステップS５０５に進み、“NO”と判定した場合はステップS５０６に進む。
【００４１】
ステップS５０５は指定された操作指示を送信する処理であり、制御部２０１は、自動設定パネル４０２と操作ガイドパネル４０３で入力されたすべての操作指示内容を取得し、通信部２０７を使用して撮像装置３００に操作指示を送信する。
【００４２】
ステップS５０６は撮影指示ボタン４０４が押されたか判定する処理であり、制御部２０１は、撮影指示ボタン４０４が押されたか確認する。このステップで“YES”と判定された場合はステップS５０７へ進み、“NO”と判定された場合にはステップS５０１の処理に戻る。
【００４３】
ステップS５０７は撮影指示の送信処理であり、制御部２０１は、通信部２０７を使用して撮像装置３００へ撮影指示を送信する。
【００４４】
次に、図６を用いて操作情報について説明する。この操作情報は、取得した機能を自動設定パネルまたは操作ガイドパネルに表示する手段、および、指定された操作指示を送信する手段にて参照される。
【００４５】
操作情報として管理される情報は、操作ID６０１と、操作種別６０２、機能名６０３、操作範囲６０４、操作内容６０５である。
【００４６】
これらの情報は、撮像設定装置と撮像装置との間で送受信される情報であり、機器の機能と、撮像設定装置から送信される操作指示、撮像装置から送信される設定値を含む。
【００４７】
操作種別６０２、機能名６０３、操作範囲６０４、は、撮像装置３００が持つ機能である。また、操作ID６０１は、機能ごとに割り当てられた識別子である。
【００４８】
操作内容６０５には、撮像設定装置から撮像装置に送信する場合には操作指示が格納されており、撮像装置から撮像設定装置に送信する場合には撮像装置に設定されている設定値が格納されている。
【００４９】
撮影のための操作指示を入力するための操作パネルを表示する処理において図６に示した情報が参照される具体例を、図１、図４を用いて説明する。
【００５０】
制御部２０１は、ステップS１０２にて、機能の一覧として操作ID６０１の“001”~“005”の５つの機能を取得し、ステップS１０３からステップS１０８を繰り返す。ステップS１０４で、制御部２０１は、操作ID６０１“001”を選択し、ステップS１０５にて操作種別６０２“Auto”を基に“YES”と判定する。ステップS１０７にて、制御部２０１は、自動設定パネル４０２へ、操作時範囲６０４“70mm”-“200mm”が設定可能な状態で操作内容を表示する。操作ID６０１“002”、“003”について、操作ID６０１“001”と同様に、自動設定パネル４０２へ表示する。
【００５１】
次に、制御部２０１は、ステップS１０４で操作ID６０１の“004”を選択し、ステップS１０５にて操作種別６０２“Guide”を基に“NO”と判定する。ステップS１０６にて、制御部２０１は、操作時範囲６０４“GPS、カメラ向き”基に撮影位置と撮影方向を判定し、操作ガイドパネル４０３へ、撮影位置移動用操作ガイドを表示する。
【００５２】
次に、制御部２０１は、ステップS１０４にて操作ID６０１の“005”を選択し、ステップS１０５にて操作種別６０２“Guide”を基に“NO”と判定する。ステップS１０６にて、制御部２０１は、操作範囲６０４“0、90、270”に基づいて回転操作内容を、操作ガイドパネル４０３に表示する。
【００５３】
次に、指定された操作指示を送信する手段において図６に示した情報が参照される具体例を、図４、図５を用いて説明する。
【００５４】
自動設定４０２は、ステップS５０１にて受信した撮像措置の状態が、操作ID６０１“001”に示す機能名６０３“レンズ光学補正”が操作内容６０５“180”の場合に、撮影設定者の操作によって操作内容６０５が“90”に変更された例を反映したものである。さらに、操作ID６０１“003”に示す機能名６０３“撮影モード”が操作内容６０５“写真”の場合に、撮影設定者の操作によって操作内容６０５“ムービー”に変更された例を反映したものである。
【００５５】
操作ガイド４０３は、ステップS５０１にて受信した撮像措置の状態が、操作ID６０１“004”に示す機能名６０３“位置”が操作内容６０５“緯度N35、経度E139、向き89”の場合に、撮影設定者の操作によって右への移動指示として操作内容６０５“緯度N35、経度E140、向き89”に移動が指定された例である。さらに、ステップS５０１にて受信した撮像措置の状態が、操作ID６０１“005”に示す機能名６０３“回転”が操作内容６０５“0”の場合に、撮影設定者の操作によって“90”に変更された例を反映したものである。
【００５６】
変更が反映された操作パネル４００において、操作確定ボタン４０５がクリックされると、制御部２０１は、ステップS５０４において“YES”と判定し、ステップS５０５にて操作内容６０５を撮影指示者にて入力された操作指示に変更し、通信部２０７を使用して撮像装置３００へ送信する。
【００５７】
本実施例における撮像装置の撮影のための操作指示を受信する手段について、図７を用いて説明する。図７の操作指示の受信処理は、撮像装置３００の制御部３０３から実行される処理であり、通信部３０１を使用して、撮像設定装置２００から送信された操作指示を受信する処理である。
【００５８】
ステップS７０１はキャンセル指示の確認処理であり、制御部３０３は、キャンセル指示を受信したかを確認する。このステップにて“NO”と判定した場合には、ステップS７０２へ進み、“YES”と判定した場合は本処理を終了する。
【００５９】
ステップS７０２は操作指示を受信する手段であり、このステップにおいて制御部３０３は、通信部３０１を使用して、撮像設定装置２００から図６に示す機能の操作指示情報を受信する。
【００６０】
ステップS７０３からステップS７０８は取得した操作指示に基づいて自動設定、または、操作ガイドを提示する手段であり、制御部３０３は、ステップS７０２で取得した操作指示の数だけ繰り返す。
【００６１】
ステップS７０４は操作指示の選択処理であり、制御部３０３は、ステップS７０２で取得した操作指示の1つを選択する。
【００６２】
ステップS７０５はステップS７０４で選択した操作指示が自動設定項目か操作ガイド項目かを判定する手段であり、制御部３０３は、ステップS７０４で選択した操作指示が自動設定可能な項目か確認する。このステップにて“NO”と判定した場合にはステップS７０６に進み、“YES”と判定した場合にはステップS７０７に進む。
【００６３】
ステップS７０６は操作ガイドを提示する手段であり、制御部３０３は、表示部３０６を使用してステップS７０４で選択した操作指示内容の操作ガイドを表示する。
【００６４】
ステップS７０７は操作指示を自動設定する処理であり、制御部３０３は、ステップS７０４で選択した操作指示内容を撮像装置に設定する。
【００６５】
ステップS７０９は撮影指示の確認処理であり、制御部３０３は、撮影指示を受信したかを確認する。このステップにて、“YES”と判定した場合はステップS７１０へ進み、“NO”と判定した場合には本処理を終了する。
【００６６】
ステップS７１０は撮影指示を提示する処理であり、制御部３０３は、表示部３０６に撮影指示を表示する。
【００６７】
次に、図８を用いて操作指示に基づいて操作ガイドを提示する手段を説明する。図８は撮像設定装置２００から通信部３０１を使用して、図６に示す操作指示を受信し、図７の操作受信処理の実行後の撮像装置３００の例である。
【００６８】
撮像装置８００は、シャッター８０４と、液晶モニタ８０５とカーソル移動用ジョグダイアログ８０６により構成される。液晶モニタ８０５は、撮影モード８０１とガイド指示８０２とガイドアイコン８０３により構成される。
【００６９】
次に、操作指示に基づいて撮影設定を行う手段、および、操作ガイドを提示する手段の具体例を、図６と図７、図８を用いて説明する。
【００７０】
制御部３０３は、撮像設定装置２００から図６に示す操作指示の受信後に、通信後に図７を実行する。図７においてステップS７０２にて、制御部３０３は、通信部３０１を使用して図６が示す操作指示内容を受信する。ステップS７０４にて、制御部３０３は、操作ID６０１“001”を選択し、ステップS７０５で自動設定可能な項目か確認する。このステップにおいて、制御部３０３は、操作種別６０２“Auto”に基づいて“YES”と判定し、機能名６０３“レンズ光学補正”が示す機能を操作内容６０５“90”に設定する。次に、ステップS７０４に戻り、制御部３０３は、操作ID６０１“002”を選択し、ステップS７０５にて自動設定可能な項目と判定し、機能名６０３“ホワイトバランス”が示す機能を操作内容６０５“設定5”に設定する。
【００７１】
次に、制御部３０３は、ステップS７０４に戻り、操作ID６０１“003”を選択し、ステップS７０５にて自動設定可能な項目と判定し、機能名６０３“撮影モード”が示す機能を操作内容６０５“ムービー”に設定する。撮影モード８０１は、このステップにおいて“ムービー”が自動設定され、撮影モードの変更が実行された例である。
【００７２】
さらに、制御部３０３は、ステップS７０４に戻り操作ID６０１“004”を選択し、ステップS７０５にて自動設定可能な項目か確認する。このステップで制御部３０３は、操作種別６０２“Guide”に基づいて“NO”と判定する。ステップS７０６にて、制御部３０３は、表示部３０６を使用して、機能名６０３“位置”が示す機能を操作内容６０５“緯度N35、経度E140、向き89”を基に、現在の撮像装置のGPS情報から右移動と判定し右移動を指示する操作ガイドを液晶モニタ８０５に表示する。ガイドアイコン８０３は、このステップにおいて“右移動”の操作ガイドが表示された例である。
【００７３】
次に、制御部３０３は、ステップS７０４に戻り、操作ID６０１“005”を選択し、ステップS７０５にて操作ガイドの提示と判定し、ステップS７０６にて機能名６０３“回転”が示す機能を操作内容６０５“90”への操作ガイドを提示する。ガイド指示８０２は、このステップで“回転”の操作ガイドが表示された例である。
【００７４】
本実施例では、受信した操作指示がガイド提示の場合に、ユーザ操作ガイドを液晶モニタに表示しているが、音声ガイドにて提示するのでもよい。
【００７５】
次に、図９を用いて、撮像装置の操作状態の送信処理を説明する。図９は制御部３０３から実行される処理であり、操作部３０４を使用して撮影者が操作した操作内容を取得し、取得した操作内容に基づいて、通信部３０１を使用して撮像設定装置２００に送信する処理である。
【００７６】
ステップS９０１は撮像装置の機能の状態を取得する処理であり、制御部３０３は、撮像装置のすべての機能の操作状態を取得する。
【００７７】
ステップS９０２は撮影者が操作した操作内容を判定する処理であり、制御部３０３は、ステップS７０２にて受信した操作指示と撮影者が操作した操作内容を比較する。このステップにて、受信した操作指示と撮影者が操作した操作内容が一致した場合は、“YES”と判定しステップS９０３に進み、一致していない場合は“NO”と判定し、ステップS９０５に進む。
【００７８】
ステップS９０３は操作ガイドを非表示にする処理であり、制御部３０３は、ステップS７０６で表示した操作ガイドを非表示にする。
【００７９】
ステップS９０４は撮影装置の状態を送信する処理であり、制御部３０３は、操作内容６０５に撮影者によって操作された操作内容を設定し、通信部３０１を使用して撮像設定装置２００に機能の操作状態を送信する。
【００８０】
ステップS９０５は警告を表示する処理であり、制御部３０３は、表示部３０６を使用して液晶モニタ８０５に警告を表示する。
【００８１】
次に、図１０を用いて操作指示に基づいて操作ガイドを提示する手段について説明する。図１０は撮像設定装置２００から通信部３０１を使用して、図７の操作受信処理の実行後に、撮影者の操作に基づいて図９を実行した例である。図１０内構成は、図８撮像装置と同一であり、液晶モニタ８０５内に警告１００１を保持する。
【００８２】
次に、操作指示に基づいて撮像装置の操作状態の送信処理の具体例を、図６と図９、図１０を用いて説明する。
【００８３】
撮影者による操作が、機能名６０３“位置”が示す機能の操作内容６０５“緯度N35、経度E138、向き89”へ移動し、機能名６０３“回転”が示す機能の操作内容６０５“90”に操作された例を説明する。
【００８４】
図９においてステップS９０１にて、制御部３０３は、機能名６０３“位置”が示す機能の操作内容６０５“緯度N35、経度E138、向き89”を取得する。ステップS９０２にて、制御部３０３は、ステップS７０２で受信した機能名６０３“位置”が示す機能の操作内容６０５“緯度N35、経度E140、向き89”と撮影者が操作した機能名６０３“位置”が示す機能の操作内容６０５“緯度N35、経度E138、向き89”を比較する。このステップにて、制御部３０３は、“NO”と判定し、ステップS９０５にて警告１００１を表示する。次に、ステップS９０１にて、制御部３０３は、機能名６０３“回転”が示す機能の操作内容６０５“90”を取得する。ステップS９０２にて、制御部３０３は、ステップS７０２で受信した機能名６０３“回転”が示す機能の操作内容６０５“90”と撮影者が操作した機能名６０３“回転”が示す機能の操作内容６０５“90”を比較する。このステップにて、制御部３０３は、“YES”と判定し、ステップS９０５にてガイドを非表示にする。ステップS９０４にて、制御部３０３は、撮影者が操作した機能名６０３“位置”が示す機能の操作内容６０５“緯度N35、経度E138、向き89”を設定し、通信部３０１を使用して撮像設定装置２００に機能の操作状態を送信する。
【００８５】
本実施例では、受信した操作指示と撮影者が実施した操作が異なる場合は、警告が表示され、受信した操作指示と同一の操作の場合は、ガイド表示が非表示となる。このように、本実施例では、警告を液晶モニタに表示しているが、ビープ音を鳴らす事によって異なる操作を知らせる、または、音声による警告でも良い。
【００８６】
上述のように、本実施例の画像撮像システムは、撮像設定装置にて、撮像装置の機能が自動設定可能な項目であるのか、撮影者による操作を必要とする項目であるのかを判定し、判定結果に基づいて自動設定パネルと操作ガイド設定パネルを表示する。これにより、撮影のための操作指示が、自動設定可能な項目であるのか、撮影者による操作を必要とする項目であるのかが識別可能となり、操作指示者による判断が不要となる。
【００８７】
なお、本実施例で述べた撮像設定装置は、図2の構成を保持していれば、撮像装置や、PC、携帯端末であっても良い。また、本実施例では、撮像装置から撮像装置の機器情報と撮像装置に取り付けられている付属品の機器情報を受信し、受信した機器情報を基に、予め撮像設定装置が保持している機能の一覧を取得する構成としたが、撮像装置から機能の一覧を受信するような構成にしても本発明は適応される。
【００８８】
本実施例では、撮像設定装置からの撮影指示にて、撮影者に撮影を指示するとしたが、撮像設定装置が撮像装置に撮影予告を送信し、撮像設定装置側で自動的に撮影するのでも良い。また、本実施例では、撮像設定装置にて、自動設定か操作ガイド指示かを判定するとしたが、撮像装置にて判定し、その判定結果をモニタに表示するのでも良い。
【００８９】
本実施例では、撮像装置における操作ガイドの表示において、ユーザ操作が、撮像設定装置から受信した操作と異なる場合は、撮像装置のモニタに警告を表示するとしたが、受信した操作と異なるか否かを撮像装置にて判定し、その判定結果を撮像設定装置に送信し、撮像設定装置側で、判定結果に基づいて機能の操作内容を撮像設定装置内の操作パネルに反映してもよい。
【００９０】
また、受信した操作と異なるか否かを撮像設定装置にて判定し、判定結果に基づいて機能の操作内容を撮像設定装置内の操作パネルに反映した場合でも、本発明は、適応される。
【００９１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００９２】
S１０２  撮像装置の機能を取得する手段、
S１０５  自動設定項目か操作ガイド項目かを判定する手段、
S１０６  自動設定パネルに表示する手段、
S１０８  操作ガイドパネルに表示する手段、
S５０５  指定された操作指示を送信する手段、
S７０１  操作指示を受信する手段、
S７０５  操作指示に基づいて撮影設定を行う手段、
S７１０  操作指示に基づいて操作ガイドを提示する手段
【図１】
2017028468.tif 000003
【図２】
2017028468.tif 000004
【図３】
2017028468.tif 000005
【図４】
2017028468.tif 000006
【図５】
2017028468.tif 000007
【図６】
2017028468.tif 000008
【図７】
2017028468.tif 000009
【図８】
2017028468.tif 000010
【図９】
2017028468.tif 000011
【図１０】
2017028468.tif 000012